(57)【要約】【課題】撮像装置から印刷装置に無線でダイレクトに送信された画像ファイルを第三者が傍受した場合であっても、その画像ファイルを不正に利用できないようにする。【解決手段】デジタルカメラ１からプリンタ３に無線でダイレクトに画像ファイルを送信する前にデジタルカメラ１は画像ファイルのデコードに必要な情報を含む部分（例えば、ヘッダ部）を暗号化する。【選択図】      図１
2005072699.tif 000002
【特許請求の範囲】
【請求項１】
画像ファイルを印刷装置に無線でダイレクトに送信する前に前記画像ファイルの所定の部分を暗号化する暗号化手段と、
前記画像ファイルを前記印刷装置に無線でダイレクトに送信する送信手段とを有することを特徴とする撮像装置。
【請求項２】
前記暗号化手段は、前記画像ファイルのデコードに必要な情報を含む部分を暗号化する手段であることを特徴とする請求項１に記載の撮像装置。
【発明の詳細な説明】
【０００１】
【発明の属する技術分野】
本発明は、デジタルカメラなどの撮像装置に関するものである。
【０００２】
【従来の技術】
従来の印刷システムには、撮像装置（デジタルカメラなど）と印刷装置との間を無線で接続し、使用者によって選択されたデジタル画像を撮像装置から印刷装置にダイレクトに送信する印刷システムがある（例えば、特許文献１）。
【０００３】
【特許文献１】
特開平１０−１９１２２６号公報
【０００４】
【発明が解決しようとする課題】
画像ファイルを撮像装置から印刷装置に無線でダイレクトに送信するシステムは、便利な反面、第三者によって画像ファイルが傍受され、不正に利用される可能性がある。そのため、現在、撮像装置から印刷装置に無線でダイレクトに送信された画像ファイルを第三者が傍受した場合であっても、その画像ファイルを不正に利用できないようにする技術が求められている。
【０００５】
本発明は、撮像装置から印刷装置に無線でダイレクトに送信された画像ファイルを第三者が傍受した場合であっても、その画像ファイルを不正に利用できないようにすることを目的とする。
【０００６】
【課題を解決するための手段】
本発明の撮像装置は、画像ファイルを印刷装置に無線でダイレクトに送信する前に前記画像ファイルの所定の部分を暗号化する暗号化手段と、前記画像ファイルを前記印刷装置に無線でダイレクトに送信する送信手段とを有することを特徴とする。
【０００７】
【発明の実施の形態】
以下、添付図面を参照し、本発明に好適な実施の形態を説明する。
【０００８】
まず、図１を参照し、本実施の形態における無線印刷システムの主要な構成要素を説明する。
【０００９】
デジタルカメラ１は、本実施の形態における撮像装置であり、ランダムアクセス可能な記録媒体であるメモリカード１１と、使用者によって選択された画像ファイル（例えば、ＪＰＥＧファイル）をメモリカード１１から読み出すメモリインターフェース部１２と、メモリインターフェース部１２から供給された画像ファイルの所定の部分（画像ファイルのデコードに必要な情報（量子化テーブル、ハフマンテーブルなど）を含む部分。例えば、ヘッダ部（図４参照）。）を暗号鍵を用いて暗号化する暗号化部１３と、暗号化部１３で暗号化された画像ファイルをプリンタ２に無線でダイレクトに送信する無線通信部１４とを有する装置である。無線通信部１４は、ＩＥＥＥ  ｓｔｄ  ８０２．１１ａ、ＩＥＥＥ  ｓｔｄ  ８０２．１１ｂ、Ｂｌｕｅｔｏｏｔｈ（登録商標）又はそれ以外の無線通信方式に準拠するユニットである。
【００１０】
プリンタ２は、本実施の形態における画像印刷装置であり、デジタルカメラ１からプリンタ２に無線でダイレクトに送信された画像ファイルを受信する無線通信部２１と、無線通信部２１から供給された画像ファイルの所定の部分を復号鍵（上記の暗号鍵に対応する鍵）を用いて復号化する復号化部２２と、復号化部２２で復号化された画像ファイルをデジタル画像にデコードするデコーダ２３と、デコーダ２３から供給されたデジタル画像を使用者又はプリンタ２によって選択されたプリントスタイル（縁なし、縁ありなど）及び用紙に従ってリサイズし、リサイズしたデジタル画像をその用紙に印刷する画像印刷部２４とを有する装置である。無線通信部２１は、無線通信部１４と同様の機能を有するユニットである。
【００１１】
次に、図２のフローチャートを参照し、デジタルカメラ１で実行される処理手順を説明する。
【００１２】
ステップＳ２０１：メモリインターフェース部１２は、使用者によって選択された画像ファイル（例えば、ＪＰＥＧファイル）をメモリカード１１から読み出す。
【００１３】
ステップＳ２０２：暗号化部１３は、メモリインターフェース部１２から供給された画像ファイルの所定の部分（画像ファイルのデコードに必要な情報を含む部分。例えば、ヘッダ部（図４参照）。）を暗号鍵を用いて暗号化する。画像ファイルのデコードに必要な情報を含む部分を暗号化することにより、通信中に画像ファイルが傍受されたとしてもその画像ファイルをデコードすることができないため、その画像ファイルの不正な利用を防止することが可能になる。
【００１４】
ステップＳ２０３：無線通信部１４は、暗号化部１３で暗号化された画像ファイルをプリンタ２に無線でダイレクトに送信する。
【００１５】
次に、図３のフローチャートを参照し、プリンタ２で実行される処理手順を説明する。
【００１６】
ステップＳ３０１：無線通信部２１は、デジタルカメラ１からプリンタ２に無線でダイレクトに送信された画像ファイルを受信する。
【００１７】
ステップＳ３０２：復号化部２２は、無線通信部２１から供給された画像ファイルの所定の部分を復号鍵（上記の暗号鍵に対応する鍵）を用いて復号化する。
【００１８】
ステップＳ３０３：デコーダ２３は、復号化部２２で復号化された画像ファイルをデジタル画像にデコードする。
【００１９】
ステップＳ３０４：画像印刷部２４は、デコーダ２３から供給されたデジタル画像を使用者又はプリンタ２によって選択されたプリントスタイル（縁なし又は縁あり）及び用紙に従ってリサイズし、リサイズしたデジタル画像をその用紙に印刷する。
【００２０】
このように、本実施の形態における無線印刷システムによれば、画像ファイルをデジタルカメラ１からプリンタ３に無線でダイレクトに送信する前にその画像ファイルのデコードに必要な情報を含む部分を暗号化することができるので、その画像ファイルを第三者が傍受した場合であっても、その画像ファイルを不正に利用できないようにすることができる。
【００２１】
また、本実施の形態における無線印刷システムによれば、画像ファイルの全てではなく、デコードに必要な情報を含む部分のみを暗号化するので、暗号化及び復号化に係る時間を短くすることができる。
【００２２】
【発明の効果】
本発明によれば、撮像装置から印刷装置に無線でダイレクトに送信された画像ファイルを第三者が傍受した場合であっても、その画像ファイルを不正に利用できないようにすることができる。
【図面の簡単な説明】
【図１】無線印刷システムの主要な構成要素を示す図である。
【図２】デジタルカメラ１で実行される処理手順を説明するフローチャートである。
【図３】プリンタ２で実行される処理手順を説明するフローチャートである。
【図４】画像ファイルのデータ構造の一例を示す図である。
【符号の説明】
１  デジタルカメラ（撮像装置）
２  プリンタ（印刷装置）
【図１】
2005072699.tif 000003
【図２】
2005072699.tif 000004
【図３】
2005072699.tif 000005
【図４】
2005072699.tif 000006